(57)【要約】【課題】構造を簡単にすることができ、表示不良をなくすことができる漏電遮断器の漏電表示装置を提供する。【解決手段】電磁引き外しユニット４の引き外し板７に第１係止部７ｃと第２係止部７ｄを段違いに形成し、これらの係止部を結ぶ傾斜部７ｅとを形成し、引き外し板７と直交して配置した漏電表示ボタン２の突起２ａを係止させる。正常時は突起２ａが第１係止部７ｃに係止して漏電表示を行わず、漏電発生時に電磁引き外しユニット４が動作して引き外し板７が電磁コイル６から釈放されると、漏電表示ボタン３は突起３ａが傾斜部７ｅを通って第２係止部７ｄに係止するまで第２バネ９によって押し上げられて遮断器ケース１から突出して漏電表示を行う。また、操作ハンドル１０をオン操作すると引き外し板７のハンドル係止部７ｆに係止して引き外し板７を電磁コイル６に吸引保持される位置まで移動させ、同時に漏電表示ボタン２が引き込まれてリセットする。【選択図】図１
2006092770.tif 000002
【特許請求の範囲】
【請求項１】
永久磁石によって電磁コイルに吸引保持された引き外し板を漏電発生時に前記電磁コイルを励磁して前記永久磁石の磁力を打ち消すことで前記引き外し板を第１バネのバネ力によって釈放して開閉機構部を動作させる釈放型の電磁引き外しユニットに組み付けられ、前記引き外し板に漏電表示ボタンの突起を係止し、前記引き外し板が前記電磁コイルから釈放されると前記漏電表示ボタンの係止が開放し、第２バネのバネ力によって前記漏電表示ボタンを遮断器ケースの前面から突出させて表示を行う漏電遮断器の漏電表示装置において、前記引き外し板の動作方向に直交して前記漏電表示ボタンを配置し、前記引き外し板は前記電磁コイルに吸引保持された状態で前記漏電表示ボタンが前記遮断器ケースから突出しない位置に前記突起を係止する第１係止部と、前記電磁コイルから釈放された状態で前記漏電表示ボタンが前記遮断器ケースから突出する位置に前記突起を係止する第２係止部とが形成され、前記第１係止部と前記第２係止部の間は前記引き外し板の移動に伴って前記漏電表示ボタンの突起が沿って移動できるように傾斜部が形成されるとともに、前記引き外し板は主接点を開閉操作するための操作ハンドルのオン操作時に前記操作ハンドルに係止するハンドル係止部が形成され、前記操作ハンドルをオン操作すると前記引き外し板が前記電磁コイルに吸引保持される位置に移動し、前記漏電表示ボタンの突起が前記引き外し板の第１係止部に係止してリセットするようにしたことを特徴とする漏電遮断器の漏電表示装置。
【発明の詳細な説明】
【技術分野】
【０００１】
本発明は、漏電発生時に遮断器ケースから漏電表示ボタンを突出させて漏電の表示を行う漏電遮断器の漏電表示装置に関する。
【背景技術】
【０００２】
従来、漏電遮断器は特許文献１に示されるように漏電が発生すると漏洩電流を零相変流器（７）で検出し、漏電引き外しユニット（２０）の電磁コイル（３３）を励磁し、引き外し板（３５）を第１バネ（３６）のバネ力に抗して電磁コイル（３３）に吸引する。このとき、引き外し板（３５）から漏電引き外しユニット（２０）に組み付けられた漏電表示装置（５０）の漏電表示ボタン（５１）の係止が外れ、漏電表示ボタン（５１）は第２バネ（５２）のバネ力により遮断器ケース（２）の前面から突出して表示を行う。また、漏電表示ボタン（５１）のリセットは、操作ハンドルをオン操作して再投入すると、漏電表示ボタン（５１）が開閉機構部のクロスバーに係合して遮断器ケース（２）に引き込まれ、引き外し板（３５）に係止することでリセットするようになっている。
【０００３】
【特許文献１】特許第２９７１３０９号公報（ｐ．５、第２−４図）
【発明の開示】
【発明が解決しようとする課題】
【０００４】
このように、従来の漏電遮断器は漏電表示装置を組み付けた電磁引き外しユニットとは別ユニットである開閉機構部のクロスバーに漏電表示装置の漏電表示ボタンを連動させてリセットするようになっているため、構造が複雑になり、表示不良をおこす虞があった。
【課題を解決するための手段】
【０００５】
本発明は、永久磁石によって電磁コイルに吸引保持された引き外し板を漏電発生時に電磁コイルを励磁して永久磁石の磁力を打ち消すことで前記引き外し板を第１バネのバネ力によって釈放して開閉機構部を動作させる釈放型の電磁引き外しユニットに組み付けられ、引き外し板に漏電表示ボタンの突起を係止し、引き外し板が電磁コイルから釈放されると漏電表示ボタンの係止が開放し、第２バネのバネ力によって漏電表示ボタンを遮断器ケースの前面から突出させて表示を行う漏電遮断器の漏電表示装置において、引き外し板の動作方向に直交して漏電表示ボタンを配置し、引き外し板は電磁コイルに吸引保持された状態で漏電表示ボタンが遮断器ケースから突出しない位置に突起を係止する第１係止部と、電磁コイルから釈放された状態で漏電表示ボタンが遮断器ケースから突出する位置に突起を係止する第２係止部とが形成され、第１係止部と第２係止部の間は引き外し板の移動に伴って漏電表示ボタンの突起が沿って移動できるように傾斜部が形成されるとともに、引き外し板は主接点を開閉操作するための操作ハンドルのオン操作時に操作ハンドルに係止するハンドル係止部が形成され、操作ハンドルをオン操作すると引き外し板が電磁コイルに吸引保持される位置に移動し、漏電表示ボタンの突起が引き外し板の第１係止部に係止してリセットするようにしたことを特徴とする。
【発明の効果】
【０００６】
本発明によれば、漏電表示装置が組み付けられた電磁引き外しユニットの引き外し板に漏電表示装置の漏電表示ボタンが連動するので構造を簡単にすることができ、表示不良をなくすことができるという効果がある。
【発明を実施するための最良の形態】
【０００７】
漏電遮断器は、電磁引き外しユニットの引き外し板に段違いに形成された第１係止部と第２係止部と、これらの係止部を結ぶ傾斜部とを形成し、引き外し板と直交して配置した漏電表示装置の漏電表示ボタンの突起を係止させる。引き外し板が電磁コイルに吸引保持された状態で漏電表示ボタンの突起が第１係止部に係止して漏電表示ボタンは遮断器ケースから突出せず、漏電発生時に電磁引き外しユニットが動作して引き外し板が電磁コイルから釈放されると、漏電表示ボタンは突起が傾斜部を通って第２係止部に係止するまで第２バネによって押し上げられて遮断器ケースから突出して漏電表示を行う。また、引き外し板は操作ハンドルのオン操作時に係止するハンドル係止部を形成し、操作ハンドルをオン操作すると引き外し板が電磁コイルに吸引保持される位置に移動し、同時に漏電表示ボタンが引き込まれて突起が引き外し板の第１係止部に係止してリセットする。
【実施例１】
【０００８】
本発明に係る漏電遮断器の漏電表示装置の実施例１を図１〜図４の添付図面に基づいて説明する。
【０００９】
漏電遮断器は、漏電発生時に遮断器ケース１の前面から漏電表示ボタン２が突出して表示を行う漏電表示装置３が内蔵され、この漏電表示装置３は漏電発生時に主電路を遮断するための開閉機構部（図示せず）を動作させる釈放型の電磁引き外しユニット４に組み付けられる。
【００１０】
電磁引き外しユニット４は永久磁石５を内蔵した電磁コイル６と、永久磁石５の磁力によって電磁コイル６の軸の端面に吸引保持された引き外し板７と、引き外し板７を電磁コイル６の軸の端面から開離する方向に付勢する第１バネ８とで構成され、遮断器ケース２の前面板１ａの近くに電磁コイル６の軸が前面板１ａと平行となるように配置されている。引き外し板７は電磁コイル６の軸の端面に吸引される短片７ａと、電磁コイル６の軸の方向に延びる長片７ｂとでＬ字状に形成され、長片７ｂは前面板１ａに対して垂直となるように設けられている。
【００１１】
漏電表示装置３は遮断器ケース１の前面板１ａに形成したボタン孔１ｂから出没して漏電を表示する漏電表示ボタン２と、漏電表示ボタン２を遮断器ケース１から突出させる方向に付勢する第２バネ９とで構成されている。漏電表示ボタン２は引き外し板７の動作方向に直交して配置され、漏電表示ボタン２の遮断器ケース１から突出しない側の端部に形成した突起２ａが引き外し板７の長片７ｂに係止される。
【００１２】
漏電表示ボタン２が係止される引き外し板７の長片７ｂは、引き外し板７が電磁コイル６に吸引保持された状態で漏電表示ボタン２が遮断器ケース１から突出しない位置に突起２ａを係止する第１係止部７ｃと、引き外し板７が電磁コイル６から釈放された状態で漏電表示ボタン２が遮断器ケース１から突出する位置に突起２ａを係止する第２係止部７ｄとが形成され、第１係止部７ｃと第２係止部７ｄの間は引き外し板７の移動に伴って漏電表示ボタン２の突起２ａが沿って移動できるように傾斜部７ｅが形成されている。また、引き外し板７の長片７ｂは開閉機構部を介して主接点（図示せず）を開閉操作するための操作ハンドル１０のオン操作時に操作ハンドル１０に係止するハンドル係止部７ｆが形成され、更に長片７ｂの端部には開閉機構部を遮断動作させるための引掛部７ｇが形成されている。
【００１３】
次に、電磁引き外しユニット４の動作について説明する。漏電発生前の正常時、電磁引き外しユニット４は引き外し板７が永久磁石５の磁力によって電磁コイル６に吸引保持され、漏電表示装置３の漏電表示ボタン２の突起２ａが引き外し板７の第１係止部７ｃに係止して漏電表示ボタン２は遮断器ケース１から突出していない状態になっている。ここで、漏電が発生すると、電磁引き外しユニット４の電磁コイル６が通電されて励磁し、電磁コイル６の磁力が永久磁石５の磁力を打ち消し、第１バネ８のバネ力によって引き外し板７を電磁コイル６から開離させ、引掛部７ｇが開閉機構部を動作させて主電路を遮断する。この引き外し板７の動作時、第１係止部７ｃに係止した漏電表示ボタン２は、第２バネ９のバネ力を受けて引き外し板７の移動とともに傾斜部７ｆを通って第２係止部７ｄに係止するまで押し上げられ、漏電表示ボタン２が遮断器ケース１のボタン孔１ｂから突出して漏電を表示する。主電路が遮断すると、電磁コイル６への通電は停止し、励磁がなくなる。
【００１４】
また、操作ハンドル１０をオン操作して再投入すると、操作ハンドル１０に引き外し板７のハンドル係止部７ｆが係止し、操作ハンドル１０の移動に伴って引き外し板７が電磁コイル６に吸引保持される位置に移動してリセットされる。また、同時に漏電表示ボタン２が引き外し板７の移動とともに第２バネ９のバネ力に抗して引き込まれ、傾斜部７ｆを通って第１係止部７ｃに係止してリセットされる。
【図面の簡単な説明】
【００１５】
【図１】本発明に係る電磁引き外しユニットの引き外し板が電磁コイルに吸引保持された正常時の状態を示す漏電遮断器の要部断面図である。
【図２】本発明に係る電磁引き外しユニットの引き外し板が電磁コイルに吸引保持された正常時の状態を示す漏電遮断器内部の要部正面図である。
【図３】本発明に係る電磁引き外しユニットの引き外し板が電磁コイルから開離した異常動作時の状態を示す漏電遮断器の要部断面図である。
【図４】本発明に係る電磁引き外しユニットの引き外し板が電磁コイルから開離した異常動作時の状態を示す漏電遮断器内部の要部正面図である。
【符号の説明】
【００１６】
１    遮断器ケース
１ａ    前面板
１ｂ    ボタン孔
２    漏電表示ボタン
２ａ    突起
３    漏電表示装置
４    電磁引き外しユニット
６    電磁コイル
７    引き外し板
７ａ    短片
７ｂ    長片
７ｃ    第１係止部
７ｄ    第２係止部
７ｅ    傾斜部
７ｆ    ハンドル係止部
８    第１バネ
９    第２バネ
１０    操作ハンドル
【図１】
2006092770.tif 000003
【図２】
2006092770.tif 000004
【図３】
2006092770.tif 000005
【図４】
2006092770.tif 000006